(57)【要約】【課題】時間の遷移を表す表示が含まれるテロップを検出することができるようにする。【解決手段】映像の特徴が不連続になる位置であると映像の解析結果に基づいて判定された位置がシーンの区切りの候補の位置として選択され、それぞれの候補の位置がシーンの区切りとして実際に決定されるか否かが、特徴が不連続になるとして検出された位置が、所定の周期で内容が変わる数字などが含まれるテロップが表示される映像の区間内の位置にあるか、そのような区間外の位置にあるかに基づいて判断される。特徴が不連続になるとして検出された位置が、所定の周期で内容が変わる数字などが含まれるテロップが表示される映像の区間内にある場合、その位置をシーンの区切りとすることが抑制される。本発明は、映像コンテンツを扱う機器に適用することができる。【選択図】図１２
2008072232.tif 000002
【特許請求の範囲】
【請求項１】
映像内のテロップの表示領域を検出する検出手段と、
時間軸上で隣り合うフレームの映像から前記検出手段により検出された前記表示領域を構成する画素の画素値の差分を算出する算出手段と、
閾値より大きい差分が前記算出手段により算出された位置の発生タイミングに周期性があるか否かに基づいて、前記表示領域に表示されるテロップが、内容が所定の周期で変わる、時間の遷移を表す表示が含まれるテロップであるか否かを判定する判定手段と
を備える情報処理装置。
【請求項２】
時間軸上で隣り合うフレームの映像を解析することによって、映像の特徴の変化量が閾値より大きくなる位置を検出する解析手段と、
前記解析手段による検出結果と、前記判定手段による判定結果に基づいてシーンの区切りを決定する決定手段と
をさらに備える請求項１に記載の情報処理装置。
【請求項３】
前記決定手段は、前記解析手段により検出された位置のうち、時間の遷移を表す表示が含まれる前記テロップが前記表示領域に表示されると前記判定手段により判定された映像の区間外にある位置をシーンの区切りとして決定する
請求項２に記載の情報処理装置。
【請求項４】
時間の遷移を表す表示が含まれる前記テロップは、カウントアップまたはカウントダウンにより内容が変わる数字が含まれるテロップである
請求項１に記載の情報処理装置。
【請求項５】
映像内のテロップの表示領域を検出し、
時間軸上で隣り合うフレームの映像から検出した前記表示領域を構成する画素の画素値の差分を算出し、
閾値より大きい差分が算出された位置の発生タイミングに周期性があるか否かに基づいて、前記表示領域に表示されるテロップが、内容が所定の周期で変わる、時間の遷移を表す表示が含まれるテロップであるか否かを判定する
ステップを含む情報処理方法。
【請求項６】
映像内のテロップの表示領域を検出し、
時間軸上で隣り合うフレームの映像から検出した前記表示領域を構成する画素の画素値の差分を算出し、
閾値より大きい差分が算出された位置の発生タイミングに周期性があるか否かに基づいて、前記表示領域に表示されるテロップが、内容が所定の周期で変わる、時間の遷移を表す表示が含まれるテロップであるか否かを判定する
ステップを含む処理をコンピュータに実行させるプログラム。
【発明の詳細な説明】
【技術分野】
【０００１】
本発明は、情報処理装置、情報処理方法、およびプログラムに関し、特に、時間の遷移を表す表示が含まれるテロップを検出することができるようにした情報処理装置、情報処理方法、およびプログラムに関する。
【背景技術】
【０００２】
従来、放送を受信し、テレビジョン番組などのコンテンツを記録するハードディスクレコーダなどの装置の中には、映像の特徴を抽出してショットの変化点を検出し、検出した変化点にチャプタを設定することによってユーザの利益とする機能が搭載されているものがある。設定されたチャプタは、例えば、ダイジェスト再生によって再生の対象となるシーンを選択するときなどに用いられる。
【０００３】
ここで、シーンは、テレビジョン番組などのコンテンツ全体のうちの、意味的にまとまりのある映像の区間であり、複数のショットから構成される。ショットは所定の長さの映像の区間である。例えば、テレビジョン番組の本編の間に放送されるCM(Commercial Message)のシーンは、商品の販売元のロゴのショット、商品の外観のショット、商品を紹介する人物のショットなどの複数のショットから構成される。
【０００４】
特許文献１には、映像に含まれるテロップを検出する技術が開示されている。
【特許文献１】特開平１０−２３３９９４号公報
【発明の開示】
【発明が解決しようとする課題】
【０００５】
上述したようなショットの変化点の検出技術によっては、なるべく精度よくシーンを区切ろうとすることなどから、ショットの変化点の過検出や誤検出が発生し、意味的にまとまりのあるシーンを適切に区切ることができないことがあった。
【０００６】
例えば、サッカーの試合を中継している番組において、撮影するカメラが切り替えられた場合、映像の内容が変わり、抽出される特徴が変わることから、カメラが切り替えられた位置はショットの変化点として検出されることになるが、その変化点でシーンを区切らない方が好ましいこともある。ある選手がシュートをした前後でカメラが切り替えられたことによって、シュートをする直前の映像とシュートをした直後の映像がそれぞれ異なるシーンの映像になるようにシーンが区切られた場合、シュートをした直後からダイジェスト再生が開始されることになったりしてユーザにとって不便である。
【０００７】
本発明はこのような状況に鑑みてなされたものであり、例えば適切な位置でシーンを区切るために参照される、時間の遷移を表す表示が含まれるテロップを検出することができるようにするものである。
【課題を解決するための手段】
【０００８】
本発明の一側面の情報処理装置は、映像内のテロップの表示領域を検出する検出手段と、時間軸上で隣り合うフレームの映像から前記検出手段により検出された前記表示領域を構成する画素の画素値の差分を算出する算出手段と、閾値より大きい差分が前記算出手段により算出された位置の発生タイミングに周期性があるか否かに基づいて、前記表示領域に表示されるテロップが、内容が所定の周期で変わる、時間の遷移を表す表示が含まれるテロップであるか否かを判定する判定手段とを備える。
【０００９】
時間軸上で隣り合うフレームの映像を解析することによって、映像の特徴の変化量が閾値より大きくなる位置を検出する解析手段と、前記解析手段による検出結果と、前記判定手段による判定結果に基づいてシーンの区切りを決定する決定手段とをさらに設けることができる。
【００１０】
前記決定手段には、前記解析手段により検出された位置のうち、時間の遷移を表す表示が含まれる前記テロップが前記表示領域に表示されると前記判定手段により判定された映像の区間外にある位置をシーンの区切りとして決定させることができる。
【００１１】
時間の遷移を表す表示が含まれる前記テロップは、カウントアップまたはカウントダウンにより内容が変わる数字が含まれるテロップであるようにすることができる。
【００１２】
本発明の一側面の情報処理方法またはプログラムは、映像内のテロップの表示領域を検出し、時間軸上で隣り合うフレームの映像から検出した前記表示領域を構成する画素の画素値の差分を算出し、閾値より大きい差分が算出された位置の発生タイミングに周期性があるか否かに基づいて、前記表示領域に表示されるテロップが、内容が所定の周期で変わる、時間の遷移を表す表示が含まれるテロップであるか否かを判定するステップを含む。
【００１３】
本発明の一側面においては、映像内のテロップの表示領域が検出され、時間軸上で隣り合うフレームの映像から検出された前記表示領域を構成する画素の画素値の差分が算出される。また、閾値より大きい差分が算出された位置の発生タイミングに周期性があるか否かに基づいて、前記表示領域に表示されるテロップが、内容が所定の周期で変わる、時間の遷移を表す表示が含まれるテロップであるか否かが判定される。
【発明の効果】
【００１４】
本発明の一側面によれば、時間の遷移を表す表示が含まれるテロップを検出することができる。
【発明を実施するための最良の形態】
【００１５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１６】
本発明の一側面の情報処理装置（例えば、図１の記録再生装置１）は、映像内のテロップの表示領域を検出する検出手段（例えば、図９の一画面内テロップ領域判定部４１）と、時間軸上で隣り合うフレームの映像から前記検出手段により検出された前記表示領域を構成する画素の画素値の差分を算出する算出手段（例えば、図９の連続テロップ差分判定部４３）と、閾値より大きい差分が前記算出手段により算出された位置の発生タイミングに周期性があるか否かに基づいて、前記表示領域に表示されるテロップが、内容が所定の周期で変わる、時間の遷移を表す表示が含まれるテロップであるか否かを判定する判定手段（例えば、図９の連続テロップ差分変化点周期性判定部４５）とを備える。
【００１７】
この情報処理装置には、時間軸上で隣り合うフレームの映像を解析することによって、映像の特徴の変化量が閾値より大きくなる位置を検出する解析手段（例えば、図１１の映像不連続性判定部５１）と、前記解析手段による検出結果と、前記判定手段による判定結果に基づいてシーンの区切りを決定する決定手段（例えば、図１１の決定部５２）とをさらに設けることができる。
【００１８】
本発明の一側面の情報処理方法またはプログラムは、映像内のテロップの表示領域を検出し、時間軸上で隣り合うフレームの映像から検出した前記表示領域を構成する画素の画素値の差分を算出し、閾値より大きい差分が算出された位置の発生タイミングに周期性があるか否かに基づいて、前記表示領域に表示されるテロップが、内容が所定の周期で変わる、時間の遷移を表す表示が含まれるテロップであるか否かを判定するステップ（例えば、図１３のステップＳ１０）を含む。
【００１９】
以下、本発明の実施の形態について図を参照して説明する。
【００２０】
図１は、本発明の一実施形態に係る記録再生装置１を示す図である。
【００２１】
図１に示されるように、記録再生装置１にはケーブルを介してTV２が接続される。記録再生装置１は、ハードディスクなどの記録媒体を内蔵し、例えば、デジタルテレビジョン放送、あるいはインターネットを介した放送によって提供される番組をハードディスクに記録（録画）する。すなわち、記録再生装置１には、図示せぬアンテナからの信号などが供給されるようになされている。記録再生装置１は、リモートコントローラなどを用いて行われるユーザの操作に応じて録画済みの番組を再生し、番組の映像や音声をTV２に出力させる。
【００２２】
また、記録再生装置１は、受信された録画の対象になっている番組の映像、または、ハードディスクに記録されている録画済みの番組の映像の特徴を解析するなどして番組全体を所定の映像の区間からなるシーンに区切り、シーンの区切りにチャプタを設定する機能を有している。ユーザは、自ら設定することなく記録再生装置１により自動的に設定されたチャプタを選択することによって好みのシーンだけを再生させたり、記録再生装置１により選択されたシーンだけをダイジェスト再生させたりすることができる。
【００２３】
このようなシーンの区切りは、映像の特徴の解析結果に基づいて、カメラが切り替えられるなどして映像の内容が変わり、特徴の連続性がなくなったと判断されたフレーム間の位置の中から選択される。その選択のときには、映像内のテロップに、所定の周期で内容が変わる、時間の遷移を表す表示が含まれるか否かの判定結果が参照される。テロップは、メインとなる映像に挿入された、文字、数字、記号等からなる情報である。
【００２４】
例えば、番組の映像全体が、画面の隅などの所定の位置に現在時刻（放送時の時刻）が表示される区間と現在時刻が表示されない区間からなる場合、映像の解析が行われることによって検出された映像の特徴が不連続になるフレーム間の位置は、その位置が現在時刻が表示される区間内の位置であるときにはシーンの区切りとはされずに、現在時刻が表示される区間内の位置ではないときにだけシーンの区切りとされる。現在時刻の表示は、１分毎などの所定の周期で内容が変わる数字が含まれるテロップであり、その数字は時間の遷移を表す。
【００２５】
すなわち、映像の特徴が不連続になると判定されたフレーム間の位置がシーンの区切りの候補として選択されるが、それぞれの位置がシーンの区切りとして実際に決定されるか否かは、映像の特徴が不連続になる位置が、所定の周期で内容が変わる数字などが含まれるテロップが表示される映像の区間内にあるか、そのような区間外にあるかによって判断されることになる。
【００２６】
所定の周期で内容が変わる数字などが含まれるテロップが表示される映像の区間は意味的にまとまりのある区間であることが多く、仮に、映像の特徴が不連続になる位置がその区間内で検出された場合であっても、その位置をシーンの区切りとしない方がユーザにとって好ましい。例えば、意味的にまとまりのある区間の途中からダイジェスト再生が開始されてしまったりすることを防ぐことができ、適切な位置でシーンを区切ることができる。
【００２７】
以下、適宜、映像の再生に伴って、所定の周期で内容が変わる、時間の遷移を表す数字や図形などの表示が含まれるテロップをカウントテロップという。
【００２８】
図２は、カウントテロップの例を示す図である。
【００２９】
図２に示される画面はTV２に表示されるサッカーの試合の画面であり、左上に太線で囲んで示される領域が、番組の映像に挿入されたテロップの表示領域となる。
【００３０】
図２の例においては、対戦チーム名、スコア、試合開始からの経過時間がテロップとして表示されており、このうちの試合開始からの経過時間は「４３：４４」（４３分４４秒）とされている。「４３：４４」の表示は、所定の周期である１秒毎に内容が変わるものであり、時間の遷移を表す数字であるから、図２の太線で囲んで示される領域に表示されるテロップはカウントテロップとなる。
【００３１】
このようなテロップが適宜表示されるサッカーの試合の番組がシーン毎に区切る対象の番組になっている場合、例えば、カメラが切り替えられた位置が映像の特徴が不連続になる位置として検出されたときであっても、その位置が図２に示されるようなカウントテロップの表示が続けられている区間内にあるときには、その位置はシーンの区切りとはされない。
【００３２】
一方、例えば、選手のシュートシーンのリプレイ映像の表示が開始された位置が映像の特徴が不連続になる位置として検出された場合、その位置はシーンの区切りとして決定される。通常、リプレイ映像には図２に示されるようなカウントテロップが表示されないから、映像の特徴が不連続になるとして検出されたその位置はカウントテロップが表示される映像の区間外の位置となり、シーンの区切りとして決定されることになる。
【００３３】
同様に、CMが開始された位置が映像の特徴が不連続になる位置として検出された場合も、CMの映像には図２に示されるようなカウントテロップは表示されないから、検出された位置はカウントテロップが表示される映像の区間外の位置となり、シーンの区切りとして決定される。
【００３４】
これにより、サッカーの試合の番組全体は、例えば、経過時間の表示が開始される試合開始（キックオフ）の直前の位置、リプレイ映像の表示が開始された位置、CMの映像の表示が開始された位置などでシーン毎に区切られることになる。
【００３５】
図３は、カウントテロップの他の例を示す図である。
【００３６】
図３に示される画面はTV２に表示されるニュース番組の画面であり、左上に太線で囲んで示される領域が、ニュースの映像に挿入されたテロップの表示領域となる。
【００３７】
図３の例においては、現在時刻である「７：４６」（７時４６分）がテロップとして表示されている。「７：４６」の表示は、所定の周期である１分毎に内容が変わるものであり、時間の遷移を表す数字であるから、図３の太線で囲んで示される領域に表示されるテロップはカウントテロップとなる。
【００３８】
このようなテロップが適宜表示されるニュース番組がシーン毎に区切る対象の番組になっている場合、例えば、カメラが切り替えられた位置が映像の特徴が不連続になる位置として検出されたときであっても、その位置が図３に示されるようなカウントテロップの表示が続けられている区間内にあるときには、その位置はシーンの区切りとはされない。
【００３９】
一方、CMが開始された位置が映像の特徴が不連続になる位置として検出され、CMの映像に図３に示されるようなカウントテロップが表示されていない場合には、検出された位置はカウントテロップが表示される映像の区間外の位置となり、シーンの区切りとして決定される。
【００４０】
これにより、ニュース番組全体は、例えば、CMが開始された位置などでシーン毎に区切られることになる。
【００４１】
このように、カウントテロップには、テロップの表示領域全体のうちの一部の表示が変化するもの（図４）と、テロップの表示領域の多くの表示が変化するもの（図５）とがある。図４は、図２の太線で囲まれるテロップの表示領域を拡大して示す図であり、点線で囲んで示される領域が、表示が周期的に変化する領域となる。図５は、図３の太線で囲まれるテロップの表示領域を拡大して示す図である。
【００４２】
図４、図５に拡大して示されるようなテロップの表示領域は、例えば、エッジなどの特徴を抽出したり、動き補償することなくフレーム間相関を利用して符号化されている領域を抽出したりすることによって検出される。
【００４３】
また、検出された表示領域に表示されるテロップにカウントテロップが含まれるか否かは、後に詳述するように、例えば、時間軸上で連続するそれぞれのフレームの映像のテロップの表示領域を構成する画素の画素値の変化に基づいて判断される。
【００４４】
図６は、カウントテロップのさらに他の例を示す図である。
【００４５】
図６に示される画面はTV２に表示されるクイズ番組の画面であり、下方に太線で囲んで示される領域が、クイズ番組の映像に挿入されたテロップの表示領域となる。
【００４６】
図６の例においては、「暴露まであと１０秒」がテロップとして表示されている。「暴露まであと１０秒」のうちの「１０」の表示は、所定の周期である１秒毎に内容が変わるものであり、時間の遷移を表す数字であるから、図６の太線で囲んで示される領域に表示されるテロップはカウントテロップとなる。クイズ番組の再生に伴って、「暴露まであと９秒」、「暴露まであと８秒」、「暴露まであと７秒」、・・・といったように１秒ごとにテロップの表示が変わることになる。
【００４７】
このように、カウントテロップには、カウントアップによって時間の遷移を表す図２、図３に示されるようなものの他に、カウントダウンによって時間の遷移を表す図６に示されるようなものもある。
【００４８】
なお、図６の画面において左右の端に縦方向に表示されている文章もクイズ番組の映像に挿入されたテロップではあるが、所定の周期で内容が変わる、時間の遷移を表す表示を含むものではないからカウントテロップとして扱われない。
【００４９】
カウントテロップを検出したり、シーンの区切りを決定したりする記録再生装置１の処理についてはフローチャートを参照して後述する。
【００５０】
図７は、記録再生装置１のハードウエア構成例を示すブロック図である。
【００５１】
CPU(Central Processing Unit)１１は、ROM(Read Only Memory)１２、または記録部１９に記録されているプログラムに従って各種の処理を実行する。RAM(Random Access Memory)１３には、CPU１１が実行するプログラムやデータなどが適宜記録される。これらのCPU１１、ROM１２、およびRAM１３は、バス１４により相互に接続されている。
【００５２】
CPU１１にはまた、バス１４を介して入出力インタフェース１５が接続されている。入出力インタフェース１５には、受信部１６、入力部１７、出力部１８、記録部１９、通信部２０、およびドライブ２１が接続されている。
【００５３】
受信部１６は、図示せぬアンテナからの放送波信号を受信、復調し、MPEG-TS(Moving Picture Experts Group-Transport Stream)を取得する。受信部１６は、録画の対象になっている番組のデータ（番組の映像、音声のデータ）をMPEG-TSから抽出し、抽出したデータを入出力インタフェース１５を介して記録部１９に出力する。
【００５４】
入力部１７は、リモートコントローラからの信号を受信し、ユーザの操作の内容を表す情報を入出力インタフェース１５、バス１４を介してCPU１１に出力する。CPU１１においては、入力部１７から供給される情報に対応して録画済みの番組の再生などの各種の処理が行われる。
【００５５】
出力部１８は、受信部１６により受信され、例えばCPU１１によりソフトウエア的にデコードされた番組の映像などをTV２に表示させる。
【００５６】
記録部１９は例えばハードディスクからなり、CPU１１が実行するプログラムや、入出力インタフェース１５を介して受信部１６から供給された番組のデータなどの各種のデータを記録する。
【００５７】
通信部２０は、インターネットやローカルエリアネットワークなどのネットワークを介して外部の装置と通信を行う。インターネットを介して放送された番組が通信部２０において受信されるようにしてもよい。
【００５８】
ドライブ２１は、磁気ディスク、光ディスク、光磁気ディスク、或いは半導体メモリなどのリムーバブルメディア２２が装着されたとき、それらを駆動し、そこに記録されているプログラムやデータなどを取得する。取得されたプログラムやデータは、必要に応じて記録部１９に転送され、記録される。
【００５９】
図８は、記録再生装置１の機能構成例を示すブロック図である。図８に示す機能部のうちの少なくとも一部は、図７のCPU１１により所定のプログラムが実行されることによって実現される。
【００６０】
図８に示されるように、記録再生装置１においては映像デコード部３１、カウントテロップ検出部３２、およびシーン区切り決定部３３が実現される。
【００６１】
映像デコード部３１は、ネットワークを介して、または放送波を介して受信された、シーン毎に区切る対象とする番組の映像データをデコードしてそれぞれのフレーム（画面）の映像を表示順に生成し、生成した映像をカウントテロップ検出部３２とシーン区切り決定部３３に出力する。
【００６２】
カウントテロップ検出部３２は、映像デコード部３１から供給された映像に基づいてカウントテロップを検出し、それぞれのフレームに表示されるテロップがカウントテロップであるか否かを表すデータや、カウントテロップが表示される区間を表すデータをシーン区切り決定部３３に出力する。
【００６３】
後述するように、カウントテロップ検出部３２においては、それぞれのフレームの映像を対象としてテロップ領域（テロップが表示される領域）の有無が判定され、テロップ領域があると判定された１つのフレームを基準として時間軸上で隣り合うフレームにも、類似性の高いテロップが表示される領域が存在するか否かが判定される。
【００６４】
また、そのような類似性の高いテロップが表示される領域が存在すると判定された場合、テロップ領域を構成する画素の画素値の変化に基づいてテロップの内容の変化点が検出され、１秒毎、１分毎といったように、その変化点の発生タイミングに周期性があるときに、テロップ領域に表示されるテロップがカウントテロップとして判定される。
【００６５】
シーン区切り決定部３３は、映像デコード部３１から供給された映像を解析することによってそれぞれのフレームの映像の特徴を抽出し、特徴が不連続になるフレーム間の位置を検出する。
【００６６】
また、シーン区切り決定部３３は、検出したフレーム間の位置と、カウントテロップ検出部３２から供給されたデータに基づいてシーンの区切りを決定し、決定した区切りの位置を表すシーンデータを出力する。シーン区切り決定部３３から出力されたシーンデータは、例えば、番組のデータに対応付けて記録部１９に記録され、適宜、再生するシーンをユーザが選択するときや、ダイジェスト再生の対象とするシーンを選択するときに参照される。
【００６７】
図９は、図８のカウントテロップ検出部３２の構成例を示すブロック図である。
【００６８】
図９に示されるように、カウントテロップ検出部３２は、一画面内テロップ領域判定部４１、テロップ領域連続性判定部４２、連続テロップ差分判定部４３、連続テロップ差分変化点判定部４４、および連続テロップ差分変化点周期性判定部４５から構成される。
【００６９】
一画面内テロップ領域判定部４１は、映像デコード部３１から供給された映像を解析することによってテロップ領域の有無を判定し、テロップ領域を構成する画素のデータや、テロップ領域のフレーム内の位置を表すデータをテロップ領域連続性判定部４２に出力する。一画面内テロップ領域判定部４１においては、上述したように、エッジなどの特徴を抽出したり、動き補償することなくフレーム間相関を利用して符号化されている領域を抽出したりすることによってテロップ領域の有無が判定される。
【００７０】
テロップ領域連続性判定部４２は、一画面内テロップ領域判定部４１から供給されたデータに基づいて、テロップ領域が存在すると判定されたフレームを基準として、隣り合うフレームの映像にも、類似性の高いテロップが表示される領域があるか否かを判定する。
【００７１】
テロップの類似性は、フレーム内のテロップ領域の位置、面積、重心、テロップ領域を構成する画素の輝度値のヒストグラムなどから判断される。例えば、あるフレームの映像に存在するテロップ領域と、その次に表示されるフレームの映像に存在するテロップ領域がそれぞれのフレーム内で同じような位置にあり、同じような面積のものである場合、それらのテロップ領域に表示されるテロップは類似性が高いものとして判断される。
【００７２】
テロップ領域連続性判定部４２は、そのように、類似性の高いテロップが表示される領域が複数のフレームに連続して存在すると判定した場合、そのテロップ領域を構成する画素のデータを連続テロップ差分判定部４３に出力する。連続テロップ差分判定部４３に対しては、類似性の高いテロップが表示されるとして判定されたそれぞれのフレームの映像に存在するテロップ領域のデータが供給される。
【００７３】
連続テロップ差分判定部４３は、テロップ領域連続性判定部４２から供給されたデータに基づいて、それぞれのフレームの映像に存在するテロップ領域（類似性の高いテロップが表示される領域）を構成する画素の画素値の差分を算出し、算出した差分を表すデータを連続テロップ差分変化点判定部４４に出力する。
【００７４】
例えば、連続テロップ差分判定部４３は、それぞれのフレームに順次注目し、注目するフレームの映像に存在するテロップ領域を構成する画素の画素値と、前のフレームの映像に存在するテロップ領域を構成する画素の画素値の差分の二乗を対応する全ての画素について算出する。連続テロップ差分判定部４３は、算出した差分の二乗和を、差分を表すデータとして連続テロップ差分変化点判定部４４に出力する。
【００７５】
連続テロップ差分変化点判定部４４は、連続テロップ差分判定部４３から供給されたデータに基づいて、テロップ領域を構成する画素の画素値の差分の変化点を検出し、検出した変化点の位置を表すデータを連続テロップ差分変化点周期性判定部４５に出力する。例えば、画素値の差分の二乗和が閾値以上算出されたフレーム間の位置が、差分の変化点の位置として検出される。
【００７６】
あるフレームの映像に存在するテロップ領域を構成する画素の画素値と、前のフレームの映像に存在するテロップ領域を構成する画素の画素値の差分の二乗和がほとんどないことは、その２つのフレームの映像に表示されるテロップの内容が同じであることを表し、反対に、テロップ領域を構成する画素の画素値の差分の二乗和が閾値以上あることは、その２つのフレームの映像に表示されるテロップの内容が異なることを表す。例えば、所定の位置に表示される現在時刻がカウントアップしたとき、その前後のフレームの映像に存在するテロップ領域を構成する画素の画素値の差分の二乗和は閾値以上の値として求められる。
【００７７】
連続テロップ差分変化点周期性判定部４５は、連続テロップ差分変化点判定部４４から供給されたデータに基づいて、差分の変化点の位置として検出されたそれぞれの位置の間隔が一定であることから、変化点の発生タイミングに周期性があるか否かを判定し、周期性があると判定した場合、画素値の差分などを算出する対象となったそれぞれのフレームの映像内のテロップ領域に表示されるテロップがカウントテロップであるとして検出する。上述したように、カウントテロップは１秒毎、１分毎などのように所定の周期で内容が変わるテロップであるから、カウントテロップが表示されるテロップ領域を構成する画素の画素値の差分の変化点は周期性のある形で検出されることになる。
【００７８】
連続テロップ差分変化点周期性判定部４５は、カウントテロップが表示される区間を表すデータなどをシーン区切り決定部３３に出力する。
【００７９】
図１０は、カウントテロップの検出の概念を示す図である。
【００８０】
ここでは、処理の対象となる映像は３０フレーム／秒の映像であり、１秒毎に内容が変わるカウントテロップが表示されるものとして説明する。
【００８１】
図１０の上段に示される左端の１枚のフレームはフレーム番号０乃至２９の３０枚のフレームを表し、この３０枚のフレームの映像には「１：００」（１分００秒）のテロップが連続して表示される。同様に、左から２番目の１枚のフレームはフレーム番号３０乃至５９の３０枚のフレームを表し、この３０枚のフレームの映像には「１：０１」（１分０１秒）のテロップが連続して表示される。
【００８２】
左から３番目の１枚のフレームはフレーム番号６０乃至８９の３０枚のフレームを表し、この３０枚のフレームの映像には「１：０２」（１分０２秒）のテロップが連続して表示される。左から４番目の１枚のフレームはフレーム番号９０乃至１１９の３０枚のフレームを表し、この３０枚のフレームの映像には「１：０３」（１分０３秒）のテロップが連続して表示される。左から５番目の１枚のフレームはフレーム番号１２０乃至１４９の３０枚のフレームを表し、この３０枚のフレームの映像には「１：０４」（１分０４秒）のテロップが連続して表示される。左から６番目の１枚のフレームはフレーム番号１５０乃至１７９の３０枚のフレームを表し、この３０枚のフレームの映像には「１：０５」（１分０５秒）のテロップが連続して表示される。
【００８３】
このような映像を対象としたカウントテロップの検出においては、映像が解析されることによってテロップ領域Ｔがそれぞれのフレームの映像から一画面内テロップ領域判定部４１により検出され、検出されたテロップ領域Ｔには類似性の高いテロップが表示されることが、フレーム内のテロップ領域Ｔの位置などに基づいてテロップ領域連続性判定部４２により判定される。
【００８４】
また、それぞれのフレームが順次注目されて、注目されているフレームの映像に存在するテロップ領域Ｔを構成する画素の画素値と、前のフレームの映像に存在するテロップ領域Ｔを構成する画素の画素値の差分の二乗和が連続テロップ差分判定部４３により算出される。
【００８５】
図１０の下段に示されるグラフは隣り合うフレームの映像に存在するテロップ領域Ｔを構成する画素の画素値の差分の二乗和を示すグラフであり、縦軸は差分の二乗和の値を表す。横軸はフレーム番号を表す。
【００８６】
このグラフに示されるように、「１：００」の同じ時間が表示されることから、ノイズを無視するものとすると、フレーム番号０乃至２９のそれぞれのフレーム間では、隣り合う２つのフレームの映像に存在するテロップ領域Ｔを構成する画素の画素値の差分の二乗和はほぼ０として求められる。
【００８７】
一方、「１：００」と「１：０１」とで異なる時間が表示されることから、フレーム番号２９のフレームとフレーム番号３０のフレームの間では、２つのフレームの映像に存在するテロップ領域Ｔを構成する画素の画素値の差分の二乗和は０より大きい所定の値である値Ｄ１として求められる。
【００８８】
同様に、フレーム番号３０乃至５９のそれぞれのフレーム間では、隣り合う２つのフレームの映像に存在するテロップ領域Ｔを構成する画素の画素値の差分の二乗和はほぼ０として求められ、フレーム番号５９のフレームとフレーム番号６０のフレームの間では、２つのフレームの映像に存在するテロップ領域Ｔを構成する画素の画素値の差分の二乗和は値Ｄ２として求められる。
【００８９】
フレーム番号６０乃至８９のそれぞれのフレーム間では、隣り合う２つのフレームの映像に存在するテロップ領域Ｔを構成する画素の画素値の差分の二乗和はほぼ０として求められ、フレーム番号８９のフレームとフレーム番号９０のフレームの間では、２つのフレームの映像に存在するテロップ領域Ｔを構成する画素の画素値の差分の二乗和は値Ｄ３として求められる。
【００９０】
フレーム番号９０乃至１１９のそれぞれのフレーム間では、隣り合う２つのフレームの映像に存在するテロップ領域Ｔを構成する画素の画素値の差分の二乗和はほぼ０として求められ、フレーム番号１１９のフレームとフレーム番号１２０のフレームの間では、２つのフレームの映像に存在するテロップ領域Ｔを構成する画素の画素値の差分の二乗和は値Ｄ４として求められる。
【００９１】
フレーム番号１２０乃至１４９のそれぞれのフレーム間では、隣り合う２つのフレームの映像に存在するテロップ領域Ｔを構成する画素の画素値の差分の二乗和はほぼ０として求められ、フレーム番号１４９のフレームとフレーム番号１５０のフレームの間では、２つのフレームの映像に存在するテロップ領域Ｔを構成する画素の画素値の差分の二乗和は値Ｄ５として求められる。
【００９２】
フレーム番号１５０乃至１７９のそれぞれのフレーム間では、隣り合う２つのフレームの映像に存在するテロップ領域Ｔを構成する画素の画素値の差分の二乗和はほぼ０として求められる。
【００９３】
例えば、このような値が連続テロップ差分判定部４３により求められた場合、あらかじめ設定された閾値と比較されることによって、値Ｄ１が求められたフレーム番号２９のフレームとフレーム番号３０のフレームの間の位置、値Ｄ２が求められたフレーム番号５９のフレームとフレーム番号６０のフレームの間の位置、値Ｄ３が求められたフレーム番号８９のフレームとフレーム番号９０のフレームの間の位置、値Ｄ４が求められたフレーム番号１１９のフレームとフレーム番号１２０のフレームの間の位置、値Ｄ５が求められたフレーム番号１４９のフレームとフレーム番号１５０のフレームの間の位置のそれぞれの位置が、差分の変化点の位置として連続テロップ差分変化点判定部４４により検出される。
【００９４】
変化点の発生タイミングには１秒（３０フレーム）の周期性があるから、連続テロップ差分変化点周期性判定部４５においては、例えばフレーム番号０乃至１７９全体のフレームの映像に存在するテロップ領域Ｔに表示されるテロップはカウントテロップであるとして検出されることになる。
【００９５】
以上のようにして検出されたカウントテロップが表示される区間を表すデータは、シーン区切り決定部３３に出力され、シーンの区切りを決定するのに用いられる。
【００９６】
図１１は、図８のシーン区切り決定部３３の構成例を示すブロック図である。
【００９７】
図１１に示されるように、シーン区切り決定部３３は、映像不連続性判定部５１と決定部５２から構成される。
【００９８】
映像不連続性判定部５１は、映像デコード部３１から供給された映像を解析することによって、それぞれのフレームの映像の特徴を抽出し、特徴が閾値以上変化する位置を映像の特徴が不連続になる位置として検出する。例えば、カメラが切り替わった位置、番組本編の映像からCMの映像に切り替わった位置などが映像の特徴が不連続になる位置として検出される。映像不連続性判定部５１により検出された位置を表すデータは決定部５２に出力される。
【００９９】
決定部５２は、映像不連続性判定部５１から供給されたデータと、カウントテロップ検出部３２から供給されたデータに基づいてシーンの区切りを決定し、決定した区切りの位置を表すシーンデータを出力する。
【０１００】
決定部５２は、映像不連続性判定部５１から供給されたデータによって表される映像の特徴が不連続になる位置が、カウントテロップ検出部３２から供給されたデータによって表されるカウントテロップが表示される区間内にあるときにはその不連続になる位置をシーンの区切りとはせずに、カウントテロップが表示される区間外にあるときにその不連続になる位置をシーンの区切りとして決定する。
【０１０１】
図１２は、シーンの区切りの概念を示す図である。
【０１０２】
図１２の例においては、フレーム番号０乃至ｍのフレームが示されており、このうちのフレーム番号０乃至ｎのフレームの区間内の位置である位置Ｐ１，Ｐ２と、フレーム番号ｎ＋１乃至ｍのフレームの区間内の位置である位置Ｐ３が、映像の特徴が不連続になる位置として映像不連続性判定部５１により検出されている。
【０１０３】
また、カウントテロップ検出部３２により、フレーム番号０乃至ｎのフレームの区間がカウントテロップが表示される区間として検出され、フレーム番号ｎ＋１乃至ｍのフレームの区間がカウントテロップが表示されない区間として検出されている。
【０１０４】
この場合、決定部５２においては、映像の特徴が不連続になる位置ではあるものの、カウントテロップが表示される区間内の位置であることから、位置Ｐ１，Ｐ２はシーンの区切りとはされず、カウントテロップが表示される区間外の位置である位置Ｐ３だけがシーンの区切りとして決定されることになる。
【０１０５】
ここで、以上のような構成を有する記録再生装置１の処理についてフローチャートを参照して説明する。
【０１０６】
はじめに、図１３のフローチャートを参照して、カウントテロップを検出する記録再生装置１の処理について説明する。
【０１０７】
ステップＳ１において、映像デコード部３１は、番組の映像データをデコードしてそれぞれのフレームの映像を表示順に生成し、生成した映像をカウントテロップ検出部３２の一画面内テロップ領域判定部４１に出力する。
【０１０８】
ステップＳ２において、一画面内テロップ領域判定部４１は、映像デコード部３１から供給された映像を解析することによってテロップ領域の有無を調査し、ステップＳ３に進み、テロップ領域が存在する映像があるか否かを判定する。
【０１０９】
一画面内テロップ領域判定部４１は、ステップＳ３において、テロップ領域が存在する映像がないと判定した場合、ステップＳ１以降の処理を繰り返し実行させ、一方、テロップ領域が存在する映像があると判定した場合、ステップＳ４に進む。テロップ領域が存在する映像があると判定された場合、映像内に存在するテロップ領域を構成する画素のデータや、テロップ領域のフレーム内の位置を表すデータが一画面内テロップ領域判定部４１からテロップ領域連続性判定部４２に出力される。
【０１１０】
ステップＳ４において、テロップ領域連続性判定部４２は、一画面内テロップ領域判定部４１から供給されたデータに基づいて、テロップ領域が存在すると判定されたフレームを基準として、類似性の高いテロップが表示される領域が時間軸上で隣り合うフレームの映像に連続して存在するかを調査する。
【０１１１】
ステップＳ５において、テロップ領域連続性判定部４２は、ステップＳ４の調査の結果に基づいて、類似性の高いテロップが表示される領域が連続して存在するか否かを判定する。
【０１１２】
テロップ領域連続性判定部４２は、ステップＳ５において、類似性の高いテロップが表示される領域が連続して存在しないと判定した場合、ステップＳ１以降の処理を繰り返し実行させ、一方、類似性の高いテロップが表示される領域が連続して存在すると判定した場合、ステップＳ６に進む。類似性の高いテロップが表示される領域が複数のフレームに連続して存在すると判定された場合、そのテロップ領域を構成する画素のデータがテロップ領域連続性判定部４２から連続テロップ差分判定部４３に出力される。
【０１１３】
ステップＳ６において、連続テロップ差分判定部４３は、テロップ領域連続性判定部４２から供給されたデータに基づいて、それぞれのフレームの映像に存在するテロップ領域を構成する画素の画素値の差分を調査する。ここでは、上述したように、それぞれのフレームが順次注目され、注目されるフレームの映像に存在するテロップ領域を構成する画素の画素値と、前のフレームの映像に存在するテロップ領域を構成する画素の画素値の差分の二乗が対応する全ての画素について算出され、算出された差分の二乗和を表す値が差分を表すデータとして連続テロップ差分変化点判定部４４に出力される。
【０１１４】
ステップＳ７において、連続テロップ差分変化点判定部４４は、テロップ領域を構成する画素の画素値の差分の変化点があるか否かを連続テロップ差分判定部４３から供給されたデータに基づいて判定する。
【０１１５】
連続テロップ差分変化点判定部４４は、ステップＳ７において、テロップ領域を構成する画素の画素値の差分の変化点がないと判定した場合、ステップＳ１以降の処理を繰り返し実行させ、一方、テロップ領域を構成する画素の画素値の差分の変化点があると判定した場合、ステップＳ８に進む。テロップ領域を構成する画素の画素値の差分の変化点があると判定された場合、その位置を表すデータが連続テロップ差分変化点判定部４４から連続テロップ差分変化点周期性判定部４５に出力される。
【０１１６】
ステップＳ８において、連続テロップ差分変化点周期性判定部４５は、連続テロップ差分変化点判定部４４から供給されたデータに基づいて、変化点の発生タイミングの周期性を調査し、ステップＳ９に進み、変化点の発生タイミングに周期性があるか否かを判定する。
【０１１７】
連続テロップ差分変化点周期性判定部４５は、ステップＳ９において、変化点の発生タイミングに周期性がないと判定した場合、ステップＳ１以降の処理を繰り返し実行させ、一方、周期性があると判定した場合、ステップＳ１０に進む。
【０１１８】
ステップＳ１０において、連続テロップ差分変化点周期性判定部４５は、画素値の差分などを算出する対象となったテロップ領域に表示されるテロップがカウントテロップであるとして検出し、そのテロップ領域が連続して表示される映像の区間をカウントテロップが表示される区間として判定する。連続テロップ差分変化点周期性判定部４５は、カウントテロップが表示される区間を表すデータをシーン区切り決定部３３に出力し、処理を終了させる。
【０１１９】
次に、図１４のフローチャートを参照して、シーンの区切りを決定する記録再生装置１の処理について説明する。
【０１２０】
この処理は、図１３の処理が行われ、カウントテロップが表示される区間を表すデータがカウントテロップ検出部３２の連続テロップ差分変化点周期性判定部４５からシーン区切り決定部３３に供給されたときに開始される。
【０１２１】
ステップＳ１１において、映像デコード部３１は、番組の映像データをデコードしてそれぞれのフレームの映像を表示順に生成し、生成した映像をシーン区切り決定部３３の映像不連続性判定部５１に出力する。
【０１２２】
ステップＳ１２において、映像不連続性判定部５１は、映像デコード部３１から供給された映像を解析することによってそれぞれのフレームの映像の特徴を抽出し、映像の特徴の不連続を調査する。
【０１２３】
ステップＳ１３において、映像不連続性判定部５１は、処理の対象としている映像の位置が、特徴が不連続になる位置であるか否かを判定する。
【０１２４】
映像不連続性判定部５１は、ステップＳ１３において、処理の対象としている映像の位置が、特徴が不連続になる位置ではないと判定した場合、ステップＳ１１以降の処理を繰り返し実行させ、一方、不連続になる位置であると判定した場合、ステップＳ１４に進む。特徴が不連続になると判定された位置を表すデータは映像不連続性判定部５１から決定部５２に出力される。
【０１２５】
ステップＳ１４において、決定部５２は、映像不連続性判定部５１から供給されたデータによって表される位置が、カウントテロップが表示される区間内の位置であるかをカウントテロップ検出部３２から供給されたデータに基づいて調査する。
【０１２６】
決定部５２は、ステップＳ１５において、映像の特徴が不連続になると判定された位置がカウントテロップが表示される区間内の位置であるか否かを判定する。
【０１２７】
ステップＳ１５において、決定部５２は、映像の特徴が不連続になると判定された位置がカウントテロップが表示される区間内の位置であると判定した場合、その位置をシーンの区切りとして決定することなくステップＳ１１以降の処理を繰り返し実行させ、一方、カウントテロップが表示される区間内の位置ではない、すなわち、カウントテロップが表示される区間外の位置あると判定した場合、ステップＳ１６に進む。
【０１２８】
ステップＳ１６において、決定部５２は、カウントテロップが表示される区間外の位置にある、特徴が不連続になると判定された位置をシーンの区切りの位置として決定し、処理を終了させる。決定部５２により決定されたシーンの区切りの位置を表すデータは例えばシーンデータとして記録部１９に供給され、番組のデータと対応付けて記録される。
【０１２９】
以上の処理により、表示内容がわずかに変化するテロップであっても、変化の周期性に着目することによって、適切な位置でシーンを区切るのに用いることができるカウントテロップを検出することが可能となる。
【０１３０】
また、検出したカウントテロップが表示される区間内の位置が映像の特徴が不連続になる位置として検出された場合であっても、その位置がシーンの区切りとして選択されないようにすることによって、シーンの区切りの過検出などを防ぐことができ、より適切な位置でシーンを区切ることができる。
【０１３１】
図１５乃至図１７は、シーンの区切りの例を示す図である。
【０１３２】
例えば、カウントテロップが表示される区間であるか否かを考慮することなくシーンの区切りを決定した場合、図１５に示されるように、サッカーの試合を撮影するカメラが切り替わったため、映像の特徴からショットＳ１とショットＳ２の間の位置で映像の特徴が不連続になることが検出されたときには、そのショットＳ１とショットＳ２の間の位置は、カウントテロップが表示される区間内の位置であってもシーンの区切りの位置として決定される。
【０１３３】
同様に、ショットＳ２とショットＳ３の間の位置、ショットＳ３とショットＳ４の間の位置、ショットＳ４とショットＳ５の間の位置、ショットＳ６とショットＳ７の間の位置、ショットＳ７とショットＳ８の間の位置のそれぞれの位置で映像の特徴が不連続になることが検出されたときには、それらの位置は、カウントテロップが表示される区間内の位置であってもシーンの区切りの位置として決定される。
【０１３４】
一方、カウントテロップが表示される区間であるか否かを考慮してシーンの区切りを決定した場合、図１６に示されるように、サッカーの試合を撮影するカメラが切り替わったため、映像の特徴からショットＳ１２とショットＳ１３の間の位置で映像の特徴が不連続になることが検出されたときであっても、そのショットＳ１２とショットＳ１３の間の位置は、カウントテロップが表示される区間内の位置であることからシーンの区切りの位置としては決定されない（シーンのカットが抑制される）。
【０１３５】
同様に、ショットＳ１４とショットＳ１５の間の位置、ショットＳ１５とショットＳ１６の間の位置のそれぞれの位置で映像の特徴が不連続になることが検出されたときであっても、それらの位置は、カウントテロップが表示される区間内の位置であることからシーンの区切りの位置としては決定されない。
【０１３６】
また、図１７に示されるように、ショットＳ２１とショットＳ２２の間の位置、ショットＳ２２とショットＳ２３の間の位置、ショットＳ２３とショットＳ２４の間の位置、ショットＳ２４とショットＳ２５の間の位置のそれぞれの位置で映像の特徴が不連続になることが検出されたときであっても、それらの位置は、カウントテロップが表示される区間内の位置であることからシーンの区切りの位置としては決定されない。
【０１３７】
以上においては、カウントテロップが表示される区間であるか否かの判定結果が、シーンの区切りを決定するために用いられるものとしたが、例えば映像区間の重要度の判定といったように別の用途に用いられるようにしてもよい。
【０１３８】
上述したように、サッカーの試合の番組のリプレイシーンなどではカウントテロップが表示されないから、対象のシーンがリプレイシーンであるかリアルタイムシーンであるかをカウントテロップが表示される区間のデータに基づいて判定し、リアルタイムシーンに対してより高い重要度が設定されるようにしてもよい。ダイジェスト再生などにおいては、より高い重要度が設定されているリアルタイムシーンが優先的に再生されるように、再生の対象になるシーンが選択される。
【０１３９】
また、以上においては、内容が周期的に変わる時間の遷移を表す表示として、時間、時刻、カウントダウンを表す数字が検出され、シーンの区切りを決定するために用いられるものとしたが、内容が周期的に変わる表示であれば、どのような表示がシーンの区切りの位置を決定するために用いられるようにしてもよい。
【０１４０】
例えば、図１８Ａ乃至Ｃにそれぞれ太線で囲んで示されるような、映像内の信号機の点滅、パトカー、消防車等の緊急車両の赤灯の点滅、自動車のウインカーの点滅を検出し、これらの点滅が続く区間内では、映像の特徴が不連続になることが検出された場合であっても、その位置がシーンの区切りとして決定されないようにすることができる。特に、自動車のウインカーの点滅の周期は、日本、アメリカの法規では毎分６０乃至１２０回の周期と定められており、内容が周期的に変わる表示といえる。
【０１４１】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１４２】
コンピュータにインストールされ、コンピュータによって実行可能な状態とされるプログラムを格納するプログラム記録媒体は、図７に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア２２、または、プログラムが一時的もしくは永続的に格納されるROM１２や、記録部１９を構成するハードディスクなどにより構成される。プログラム記録媒体へのプログラムの格納は、必要に応じてルータ、モデムなどのインタフェースである通信部２０を介して、ローカルエリアネットワーク、インターネット、デジタル衛星放送といった、有線または無線の通信媒体を利用して行われる。
【０１４３】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【０１４４】
なお、本発明の実施の形態は、上述した実施の形態に限定されるものではなく、本発明の要旨を逸脱しない範囲において種々の変更が可能である。
【図面の簡単な説明】
【０１４５】
【図１】本発明の一実施形態に係る記録再生装置を示す図である。
【図２】カウントテロップの例を示す図である。
【図３】カウントテロップの他の例を示す図である。
【図４】図２のテロップの表示領域を拡大して示す図である。
【図５】図３のテロップの表示領域を拡大して示す図である。
【図６】カウントテロップのさらに他の例を示す図である。
【図７】記録再生装置のハードウエア構成例を示すブロック図である。
【図８】記録再生装置の機能構成例を示すブロック図である。
【図９】図８のカウントテロップ検出部の構成例を示すブロック図である。
【図１０】カウントテロップの検出の概念を示す図である。
【図１１】図８のシーン区切り決定部の構成例を示すブロック図である。
【図１２】シーンの区切りの概念を示す図である。
【図１３】記録再生装置のカウントテロップ検出処理について説明するフローチャートである。
【図１４】記録再生装置のシーン区切り決定処理について説明するフローチャートである。
【図１５】シーンの区切りの例を示す図である。
【図１６】シーンの区切りの他の例を示す図である。
【図１７】シーンの区切りのさらに他の例を示す図である。
【図１８】内容が周期的に変わる表示の例を示す図である。
【符号の説明】
【０１４６】
１  記録再生装置，  ３１  映像デコード部，  ３２  カウントテロップ検出部，  ３３  シーン区切り決定部，  ４１  一画面内テロップ領域判定部，  ４２  テロップ領域連続性判定部，  ４３  連続テロップ差分判定部，  ４４  連続テロップ差分変化点判定部，  ４５  連続テロップ差分変化点周期性判定部，  ５１  映像不連続性判定部，  ５２  決定部
【図１】
2008072232.tif 000003
【図２】
2008072232.tif 000004
【図３】
2008072232.tif 000005
【図４】
2008072232.tif 000006
【図５】
2008072232.tif 000007
【図６】
2008072232.tif 000008
【図７】
2008072232.tif 000009
【図８】
2008072232.tif 000010
【図９】
2008072232.tif 000011
【図１０】
2008072232.tif 000012
【図１１】
2008072232.tif 000013
【図１２】
2008072232.tif 000014
【図１３】
2008072232.tif 000015
【図１４】
2008072232.tif 000016
【図１５】
2008072232.tif 000017
【図１６】
2008072232.tif 000018
【図１７】
2008072232.tif 000019
【図１８】
2008072232.tif 000020